(57)【要約】【課題】少ない製造工程で、構造が簡単であるとともに、意匠性にも優れた手すり棒を提供する。【解決手段】ＬＶＬ材を丸棒状に切削加工して得られる棒材１の長手方向に正断面凹字状の条溝２を設けて上記棒材１の表面を化粧材３で覆い、上記化粧材３の巻き始めの端面３１と巻き終わりの端面３２とを上記条溝２内に対向して仕舞うとともに、モール材を充填し上記条溝２を埋没してなる。また、このモール材が上記条溝内に充填されて硬化する硬化性樹脂である。【選択図】図１
2006152535.tif 000002
【特許請求の範囲】
【請求項１】
ＬＶＬ材を丸棒状に切削加工して得られる棒材の長手方向に正断面凹字状の条溝を設けて上記棒材の表面を化粧材で覆い、上記化粧材の巻き始めの端面と巻き終わりの端面とを上記条溝内に対向して仕舞うとともに、モール材を充填し上記条溝を埋没してなる手すり棒。
【請求項２】
上記モール材が上記条溝内に充填されて硬化する硬化性樹脂である請求項１に記載の手すり棒。
【請求項３】
上記モール材が上記条溝に嵌入するとともに、上記化粧材の巻き始めの端面と巻き終わりの端面とを納めるＴ型樹脂成形品である請求項１に記載の手すり棒。
【請求項４】
上記正断面凹字状の条溝がＬＶＬ材の積層面と直交するように上記棒材の長手方向に設けられた請求項１に記載の手すり棒。
【発明の詳細な説明】
【技術分野】
【０００１】
本発明は手すり棒に関する。さらに詳しくは、薄板材を積層して得られた平行合板（以下、ＬＶＬ材という）を丸棒状に切削加工するとともに、その表面を化粧材で被覆して形成された手すり棒に関する。
【背景技術】
【０００２】
従来、木片や木質繊維等からなる木質材の内部に芯材を埋設し、表面を化粧材で被覆された手摺部材が知られている。
【特許文献１】特開平８−１４４４６４号公報（第１−３頁、第１図）
【発明の開示】
【発明が解決しようとする課題】
【０００３】
上記特許文献１の図１には、２枚の木質版の対向する片面に芯材を載置するための凹部を形成した後、この凹部に芯材を嵌入して２枚の木質板を積層接着し、所望の断面形状に形成するとともに、その表面に化粧材を被覆貼着した手摺部材が開示されている。しかしながら、上記図１から明らかなように、十字状の芯材を必要とするうえ、この芯材を嵌入させるための凹部を２枚の木質板に加工する必要があり、製造工程も多く、必ずしもコスト的に有利に上記手摺部材が得られるとはいい難い。本発明はこのような問題を解決して、製造工程を少なくするとともに、構造が簡単で意匠性にも優れた手すり棒を提供することを、その課題とする。
【課題を解決するための手段】
【０００４】
上記課題を解決するために、本発明においてはつぎのような技術的手段を講じている。すなわち、本発明によればＬＶＬ材を丸棒状に切削加工して得られる棒材の長手方向に正断面凹字状の条溝を設けて上記棒材の表面を化粧材で覆い、上記化粧材の巻き始めの端面と巻き終わりの端面とを上記条溝内に対向して仕舞うとともに、モール材を充填し上記条溝を埋没してなる手すり棒が提供される。上記化粧材としては、印刷化粧紙、印刷塩ビ樹脂シート等が好ましく用いられる。
【０００５】
上記モール材としては、上記条溝内に充填した後、反応して硬化する硬化性樹脂、とくに常温で硬化する常温硬化型樹脂を用いることが好ましい。上記常温硬化型樹脂としては、エポキシ樹脂、シリコン樹脂等が好ましく用いられる。
【０００６】
また、上記モール材としては、上記条溝に嵌入するとともに、上記化粧材の巻き始めの端面と巻き終わりの端面とを納める正断面が略Ｔ字型のＴ型樹脂成形品を用いることが好ましい。例えば、ポリプロピレン、ポリ塩化ビニル、ＡＢＳ樹脂等を正断面略Ｔ字型に成形して得られるＴ型樹脂成型品が好適に使用される。
【０００７】
さらに、上記正断面凹字状の条溝がＬＶＬ材の積層面と直交するように上記棒材の長手方向に設けられることが好ましい。
【発明の効果】
【０００８】
請求項１に記載の発明にかかる手すり棒は上記のとおりであり、ＬＶＬ材を丸棒状に切削加工して得られる棒材の長手方向に正断面凹字状の条溝を設け、その中に化粧材の巻き始めと巻き終わりの端面とを対向して仕舞うとともに、モール材を充填し上記条溝を埋没してなるため、少ない製造工程で、簡単な構造を有し、意匠性にも優れた手すり棒を提供することができる。
【０００９】
上記モール材が上記条溝内に充填され、反応して硬化する硬化性樹脂、好ましくは常温硬化型樹脂とすることにより、作業性よく充填できるとともに、硬化後は、滑らかな表面とすることができる。また、上記モール材をＴ型樹脂成形品とすることにより、施工性が向上し、外観も優れたものとなる。
【００１０】
上記正断面凹字状の条溝がＬＶＬ材の積層面と直交するように上記棒材の長手方向に設けられているため、ブラケット等にネジ固定する際、手すり棒の積層面を判別することが可能となり、固定用ネジをできるだけ上記積層面と直交するようにねじ込んで、しっかりと固定することができる。
【発明を実施するための最良の形態】
【００１１】
以下、本発明の実施形態について図面を参照して、詳細に説明する。図１は、本発明にかかる手すり棒Ａを示す正断面斜視図である。図１において、上記手すり棒Ａに用いられる棒材１は、ＬＶＬ材を丸棒状に切削加工して形成されるとともに、その積層面１１に直交するように正断面凹字状の条溝２が長手方向に設けられ、棒材１の表面は天然木の風合いを持つ化粧材３によって覆われている。図１から明らかなように、上記化粧材３の巻き始めの端面３１と巻き終りの端面３２とは上記条溝２の内側面に対向して仕舞われ、例えばチューブ入りの常温硬化型の硬化性樹脂４をピストル型押出し器等、適当な押出し手段により圧入することにより、条溝２内に充填される。上記硬化性樹脂４は常温硬化後、滑らかな表面を有するモール材とすることができる。
【００１２】
図２は上記硬化性樹脂４に替えてＴ型樹脂成形品５をモール材として用いるとともに、条溝２に嵌入し、化粧材３の巻き始めの端面３１と巻き終りの端面３２とを納めた状態を示す正断面図である。図３は、上記図２に示す手すり棒Ａを階段の壁面Ｗにブラケット６を用いて固定した状態を示す側断面図である。図３から手すり棒Ａの積層面を判別し、固定用ネジ７をできるだけ上記積層面と直交するようにねじ込んで、固定できることが明らかである。また、図２、図３から、Ｔ型樹脂成形品５をモール材として用いた場合でも、簡単な構造で外観にも優れた手すり棒Ａが得られることが明らかである。
【図面の簡単な説明】
【００１３】
【図１】本発明にかかる手すり棒を示す正断面斜視図である。
【図２】Ｔ型樹脂成形品をモール材として用いた上記手すり棒を示す正断面図である。
【図３】図２に示す手すり棒を階段の壁面にブラケットを用いて固定した状態を示す側断面図である
【符号の説明】
【００１４】
Ａ          本発明にかかる手すり棒
Ｗ          壁面
１          棒材
１１        積層面
２          条溝
３          化粧材
３１        上記の巻き始めの端面
３２        上記の巻き終りの端面
４          硬化性樹脂
５          Ｔ型樹脂成型品
６          ブラケット
７          固定用ネジ
【図１】
2006152535.tif 000003
【図２】
2006152535.tif 000004
【図３】
2006152535.tif 000005